(57)【要約】      （修正有）【課題】捻り運動の効果、及び筋を引き延ばす効果を達成でき、使用中に身体を良くバランスすることができる。【解決手段】上面の両端に玉転がり用環状溝１１が凹設してあるケース１０と、それぞれ一つの片体２１，３１を含み、片体の上に複数の玉２２，３２が環設してあり、その上下端が片体の上下面よりも突出し、その下端が玉転がり用環状溝に当接するように、片体をケースの上面の両端に設置する二つの玉部材２０，３０と、厚さが前から後ろへ徐々に薄くなり、後ろへ傾斜している斜面部４１，５１が形成され、その下面のエッジには歯状部４２，５２が設けてあり、その下面に玉転がり用環状溝が凹設してあり、玉転がり用環状溝が上から各玉をカバーする二つの回転盤４０，５０と、ケースの内部に設けられ二つの回転盤の間に位置され、二つの回転盤の歯状部と噛合っている伝動ギアとを含む。【選択図】図１
0003138334.tif 000002
【実用新案登録請求の範囲】
【請求項１】
上面の両端に玉転がり用環状溝が凹設してあるケースと、
それぞれ一つの片体を含み、前記片体に上で複数の玉が環設してあり、その上下端が前記片体の上下面よりも突出し、その下端が前記玉転がり用環状溝に当接するように、前記片体を前記ケースの上面の両端に設置する二つの玉部材と、
厚さが前から後ろへ徐々に薄くになり、後ろへ傾斜している斜面部が形成され、その下面のエッジには歯状部が設けてあり、その下面に玉転がり用環状溝が凹設してあり、前記玉転がり用環状溝が上から各玉をカバーする二つの回転盤と、
前記ケースの内部に設けられ前記二つの回転盤の間に位置され、前記二つの回転盤の歯状部と噛合っている伝動ギアと、を含むことを特徴とする、
筋引延用二回転盤式健康器。
【請求項２】
前記ケースは楕円形状を呈することを特徴とする、請求項１に記載の筋引延用二回転盤式健康器。
【請求項３】
前記片体は、複数の環状リブと、複数の放射状リブと、から構成されることを特徴とする、請求項１に記載の筋引延用二回転盤式健康器。
【考案の詳細な説明】
【技術分野】
【０００１】
本考案は、健康器に係り、特に、捻り運動の効果を達成するために、二つの回転盤を同期に回転可能であり、筋を引き延ばすために、回転盤の上面を斜面にした筋引延用二回転盤式健康器に関するものである。
【背景技術】
【０００２】
目下、科学の進展に伴って、国民は、ハイテックの製品を大量に使用するので、運動量が不足になり、だから、業者は色々な健康器を開発して市販するようになり、しかし、一般の健康器の体積が大きすぎるので、フィットネス館に行って運動をすることが一般になり、なお、ある業者が小型の健康器を開発したので、国民は自宅で運動をすることも可能になる。
【０００３】
市販している健康器のうちに、回転運動をするものもあり、回転運動をする健康器は、ユーザが回転盤の上面を立って、腰を捻って運動し、だが、従来の回転盤式健康器は、回転盤がただ一つあり、二つの足を一つの回転盤に立って捻ると、身体をバランスすることが難しく、ユーザは使用中に倒れ易い問題があった。
【考案の開示】
【考案が解決しようとする課題】
【０００４】
しかしながら、これは次のような欠点があった。
（１）市販している健康器のうちに、回転運動をするものがあり、回転運動をする健康器は、ユーザが回転盤の上面を立って、腰を捻って運動し、だが、従来の回転盤式健康器は、回転盤がただ一つあり、二つの足を一つの回転盤に立って捻ると、身体をバランスすることが難しく、ユーザは使用中に倒れ易い問題があった。
【０００５】
（２）腰を捻るだけの運動なら、ユーザにとって魅力はないので、ユーザの購買欲を引き出すことができなくなる。
【課題を解決するための手段】
【０００６】
上記目的を達成するためになされた本願の考案は、上面の両端に玉転がり用環状溝が凹設してあるケースと、それぞれ一つの片体を含み、前記片体に上で複数の玉が環設してあり、その上下端が前記片体の上下面よりも突出し、その下端が前記玉転がり用環状溝に当接するように、前記片体を前記ケースの上面の両端に設置する二つの玉部材と、厚さが前から後ろへ徐々に薄くになり、後ろへ傾斜している斜面部が形成され、その下面のエッジには歯状部が設けてあり、その下面に玉転がり用環状溝が凹設してあり、前記玉転がり用環状溝が上から各玉をカバーする二つの回転盤と、前記ケースの内部に設けられ前記二つの回転盤の間に位置され、前記二つの回転盤の歯状部と噛合っている伝動ギアと、を含むことを特徴とする筋引延用二回転盤式健康器であることを要旨としている。
【０００７】
本願の考案では、前記ケースは楕円形状を呈することを特徴とする請求項１に記載の筋引延用二回転盤式健康器であることを要旨としている。
【０００８】
本願の考案では、前記片体は、複数の環状リブと、複数の放射状リブと、から構成されることを特徴とする請求項１に記載の筋引延用二回転盤式健康器であることを要旨としている。
【考案の効果】
【０００９】
本考案の筋引延用二回転盤式健康器によれば、捻り運動の効果を達成可能であり、筋を引き延ばす効果を達成可能であり、そして使用中に身体を良くバランスすることができる効果を有する。
【考案を実施するための最良の形態】
【００１０】
以下、添付図面を参照して本考案の好適な実施の形態を詳細に説明する。
【００１１】
まず、図１乃至図５を参照する。本考案の筋引延用二回転盤式健康器は、ケース１０と、二つの玉部材２０，３０と、二つの回転盤４０，５０と、伝動ギア６０と、を含む。
【００１２】
前記ケース１０は、楕円形状を呈し、上面の両端に玉転がり用環状溝１１が凹設してある。
【００１３】
前記二つの玉部材２０，３０は、それぞれ一つの片体２１，３１を含み、前記片体２１，３１は、複数の環状リブと、複数の放射状リブと、から構成され、その上で複数の玉２２，３２が環設してあり、前記玉部材２０，３０は、図２に示すように、上下端が前記片体２１，３１の上下面よりも突出し、その下端が前記玉転がり用環状溝１１に当接するように、前記片体２１，３１を前記ケース１０の上面の両端に設置する。
【００１４】
前記二つの回転盤４０，５０は、厚さが前から後ろへ徐々に薄くになり、後ろへ傾斜している斜面部４１，５１が形成され、その下面のエッジには歯状部４２，５２が設けてあり、その下面に玉転がり用環状溝４３，５３が凹設してあり、前記玉転がり用環状溝４３，５３が上から各玉２２，３２をカバーする。
【００１５】
前記伝動ギア６０は、図３に示すように、前記ケース１０の内部に設けられ前記二つの回転盤４０，５０の間に位置され、前記二つの回転盤４０，５０の歯状部４２，５２と噛合っている。
【００１６】
上記の構成によれば、ユーザが運動するときに、図４に示すように、両足を二つの回転盤４０，５０にそれぞれ立つことができ、回転盤４０，５０の上面は後ろへ傾斜する斜面部４１，５１を有するので、図５に示すように、足の裏と脛とは小さい角度を成し、そうすると、筋を引き伸ばすことができ、また、伝動ギア６０により二つの回転盤４０，５０を同期に回転可能であるので、両足を同期に回転し腰を捻ることができる。
【図面の簡単な説明】
【００１７】
【図１】本考案の分解斜視図である。
【図２】本考案の組合状態の断面図である。
【図３】本考案の伝動状態を示す概略図である。
【図４】本考案の使用状態を示す概略図である。
【図５】本考案の別の使用状態を示す概略図である。
【符号の説明】
【００１８】
１０      ケース
１１      玉転がり用環状溝
２０      玉部材
２１      片体
２２      玉
３０      玉部材
３１      片体
３２      玉
４０      回転盤
４１      斜面部
４２      歯状部
４３      玉転がり用環状溝
５０      回転盤
５１      斜面部
５２      歯状部
５３      玉転がり用環状溝
６０      伝動ギア
【図１】
0003138334.tif 000003
【図２】
0003138334.tif 000004
【図３】
0003138334.tif 000005
【図４】
0003138334.tif 000006
【図５】
0003138334.tif 000007